(57)【要約】【課題】  遺骨をほぼ永久的にかつ衛生的に保存できるばかりでなく、美観もよく、さらに、焼却後の状態に近い外観で、遺骨をいつでも視認することのできる遺骨収容体を提供する。【解決手段】  ガラス材料で形成された芯部３と、上記芯部の外周に配置された粉粒状の遺骨２と、透明ガラス材料で形成され、上記遺骨を上記芯部との間に閉じ込めるように全周に被着された被覆部４とを備え、上記被覆部を介して上記遺骨を透視できるように構成した。【選択図】  図２
0003112501.tif 000002
【実用新案登録請求の範囲】
【請求項１】
ガラス材料で形成された芯部と、
上記芯部の外周に配置された粉粒状の遺骨と、
透明ガラス材料で形成され、上記遺骨を上記芯部との間に閉じ込めるように全周に被着された被覆部とを備え、
上記被覆部を介して上記遺骨を透視できるように構成した遺骨収容体。
【請求項２】
全体が略球状に形成された、請求項１に記載の遺骨収容体。
【請求項３】
全体が偏平状に形成された、請求項１に記載の遺骨主収容体。
【請求項４】
被覆部の表面に加工を施して、全体を少なくとも１の平面を備える多面体状に形成した、請求項１に記載の遺骨収容体。
【請求項５】
上記被覆部の表面を加工して凹凸を設けた、請求項１から請求項４のいずれかに記載の遺骨収容体。
【請求項６】
上記芯部が着色されている、請求項１から請求項５のいずれかに記載の遺骨収容体。
【請求項７】
被覆部の外面をすりガラス状に加工するとともに、外面の一部に上記遺骨を透視できる窓部を設けた、請求項１から請求項６のいずれかに記載の遺骨収容体。
【考案の詳細な説明】
【技術分野】
【０００１】
本願考案は、遺骨収容体に関する。詳しくは、遺骨を劣化させることなく極めて衛生的に保存できるばかりでなく、遺骨を目で見ることのできる遺骨収容体に関する。
【背景技術】
【０００２】
遺骨は陶器製の骨壺等に収容されて墓石等の下部に設けた納骨室に安置されることが多い。しかしながら、長年の間に雨水等が納骨室や骨壺に浸入して遺骨を劣化させることが多い。また、湿気等の影響で遺骨が黴びることもある。
【０００３】
【特許文献１】特開２００２−８１２２６
【特許文献２】実開平５−４８９２７
【０００４】
上記問題を解決するため、特許文献１に記載されている発明のように、納骨室の換気を行えるようにした墓石等が開発されている。しかしながら、、数十年の間には、墓石自体も劣化するため、長期間にわたって遺骨の保存効果を期待することはできない。
【０００５】
一方、近年墓地の確保が困難になり、また、墓を建立する費用も高騰している。このため、自宅や寺院の建物内に遺骨を安置することも多くなっている。このような場合にも、保存環境が悪いと遺骨が劣化したり、黴等が発生することがある。
【０００６】
特許文献２に記載された発明は、セラミック等の焼結可能な素材と遺骨を混合攪拌して焼き固めて形成された超耐候性遺骨に関するものである。この方法を採用することにより、屋外においても遺骨を衛生的に、またほぼ永久的に保存できる。
【考案の開示】
【考案が解決しようとする課題】
【０００７】
上記特許文献２に記載された発明によって、遺骨をほぼ永久に保存することができる。しかしながら、遺骨は焼結材料と混合されて一体焼結されているため、外観は単に石の形態をしたものとなる。
【０００８】
また、遺骨の主成分ははカルシウムであるため、それ自体を焼結させるのは困難である。このため、上記方法では、遺骨の配合割合も低くなり、表面において遺骨自体を視認することは困難である。
【０００９】
また、遺族は、焼場において焼却された遺骨の印象が強く残っている。このため、上記石状のものを遺骨同様に取り扱うには抵抗がある。
【００１０】
本願考案は、上記問題を解決するために案出されたものであって、上記従来の問題を解決し、遺骨をほぼ永久的にかつ衛生的に保存できるばかりでなく、美観もよく、さらに、焼却後の状態に近い外観で、遺骨をいつでも視認することのできる遺骨収容体を提供することを課題としている。
【課題を解決するための手段】
【００１１】
本願の請求項１に記載した考案は、ガラス材料で形成された芯部と、上記芯部の外周に配置された粉粒状の遺骨と、透明ガラス材料で形成され、上記遺骨を上記芯部との間に閉じ込めるように全周に被着された被覆部とを備え、上記被覆部を介して上記遺骨を透視できるように構成した遺骨収容体に関するものである。
【００１２】
本願考案は、焼却後の遺骨をガラスの中に視認できる状態で閉じ込めるものである。ガラスは非常に耐候性があるばかりでなく、透明性を有している。このため、ガラスの内部に遺骨を閉じ込めることにより、遺骨をほぼ永久的に保存できるばかりでなく、遺骨を視認することが可能となる。
【００１３】
一方、透明性をもったガラス材料は溶融状態で加工する必要があるため、遺骨を透明なガラス体の内部に閉じ込めるのは非常に困難である。本願考案は、遺骨収容体を３層構造とすることにより、上記問題を解決したものである。
【００１４】
まず、ガラス材料で芯部を形成する。上記芯部は溶融したガラス材料を所望の形態に成形することにより得ることができる。次に、上記芯部が溶融状態あるいは半溶融状態にあるときに、上記芯部の外周に粉粒状の遺骨を付着させる。遺骨を付着させる手法は特に限定されることはない。例えば、保持用の棹の先に溶融状態あるいは半溶融状態のガラスを保持して、上から粉粒状の遺骨をふりかけることにより、遺骨を上記芯部の外周に付着させることができる。また、遺骨を入れた容器中に、上記芯部を挿し入れて遺骨を付着させてもよい。
【００１５】
遺骨は、遺体を約１０００℃から１３００℃で焼却して得られる。一方、ガラス材料は、いったん１５００℃程度の高温で溶融する必要があるが、成形加工温度は比較的低く、１０００℃程度である。また、成形温度で表面に粘性があるため、遺骨を変質等をおこさせることなく、都合よく付着させることができる。本願考案の考案者は、溶融状態あるいは半溶融状態にあるガラス材料の表面に、粉粒状の遺骨を変質や変色をおこすことなく都合よく付着させて保持できることを発見し、本願考案を案出するに到った。
【００１６】
粉粒状の遺骨の大きさは特に限定されることはないが、大きすぎると上記芯部の外周に付着させることが困難となる。一方、微粉状のものであっても、芯部に付着させることについて問題はない。なお、肉眼で骨粉と認識できる程度の大きさの粒度を採用するのが好ましい。また、種々の大きさの粒度の骨が混合したものを採用するのが好ましい。
【００１７】
その後、遺骨を付着させた上記芯部の周囲に、上記被覆部を形成する。上記被覆部は、上記芯部の温度が低下しないうちに、素早く形成するが望ましい。これにより、上記芯部と上記被覆部との間に遺骨を閉じ込めることができる。また、上記被覆部に、遺骨を視認できる透明性をもたせることができる。
【００１８】
本願考案に係る遺骨収容体は、上記被覆部が透明に形成されているため、上記芯部との間に閉じ込めた遺骨を外部から視認することができる。また、遺骨は、上記芯部の外周部にだけ存在するのであるが、周囲から内部に侵入する光の加減によって、あたかも収容体の内部全体に保持されているかのような外観を得ることができる。このため、遺族は、従来の遺骨と同様に取り扱うことに抵抗がなくなる。
【００１９】
しかも、ガラス材料の中に遺骨を一体化して閉じ込めているため、遺骨が劣化したり、黴等に侵されることもなくなる。
【００２０】
上記遺骨収容体の形態は特に限定されることはない。上記芯部及び被覆部をを成形することにより、種々の形態の遺骨収容体を形成することができる。
【００２１】
たとえば、請求項２に記載した考案のように、全体を略球状に形成することができる。
【００２２】
また、請求項３に記載した考案のように、全体を偏平状に形成することができる。たとえば、小型偏平状に成形して、ウォーリーストーンのようにお守りとして持ち歩くことができる形態の遺骨収容体を得ることもできる。この場合、上記芯材自体を偏平状に形成して遺骨を付着させることもできるし、球状の遺骨収容体を形成した後に、偏平状に変形させることもできる。
【００２３】
さらに、被覆部に種々の後加工を施すこともできる。たとえば、請求項４に記載した考案のように、被覆部の表面を平坦に加工して、全体を少なくとも１の平面を設けた多面体状に形成することもできる。また、請求項５に記載した考案のように、上記被覆部の表面を加工して凹凸を設け、カットガラスのようなデザインを施すこともできる。
【００２４】
本願の請求項６に記載した考案は、上記芯部に着色を施したものである。
【００２５】
遺骨は、白色であるため遺骨収容体の外観が単調になりやすい。上記芯部に着色を施すと、遺骨の背部が着色された形態となる。このため、遺骨を視認しやすくなるばかりでなく、遺骨を浮き上がらせたような外観を得ることもできる。したがって、従来にないデザインを備える遺骨収容体を得ることができる。
【００２６】
上記被覆部の外面全周から上記遺骨を視認することができるように構成することができる。また、内部の遺骨を外周の一部からしか視認できないように構成することもできる。たとえば、請求項７に記載した考案のように、被覆部の外面をすりガラス状に加工するとともに、外面の一部に上記遺骨を透視できる窓部を設けることができる。上記窓部は、すりガラス状に加工した外面の一部を後加工で研磨したり、カット加工することにより形成することができる。上記構成を採用することにより、遺骨収容体を取り扱う際に遺骨が直接目に触れることがなくなる。したがって、故人に無関係な者が遺骨収容体を取り扱う際に、遺骨が目に触れることもなくなり、遺骨収容体の取り扱い性が向上する。一方、すりガラス状に形成した外面から内部に光を取り入れることができるため、視認性が低下することもない。
【考案を実施するための最良の形態】
【００２７】
以下、本願考案の実施の形態を図に基づいて具体的に説明する。
【００２８】
図１に本実施の形態に係る遺骨収容体１の外観を示す。また、図２に、図１におけるII−II線に沿う断面図を示す。図１に示すように、本実施の形態に係る遺骨収容体１は、全体が略球状に形成されており、内部に粉粒状の遺骨２を収容した形態を備えている。
【００２９】
図２に示すように、上記遺骨収容体１は、略球状の芯部３と、上記芯部３の外周に保持された粉粒状の遺骨２と、上記芯部３及び遺骨２を覆うように被着される被覆部４とを備えて構成されている。
【００３０】
上記芯部３及び上記被覆部４は、ソーダガラスから形成されており、少なくとも上記被覆部４は透明に形成されている。
【００３１】
上記構成を採用することにより、内部に閉じ込めた上記遺骨２を上記被覆部４を介して視認することができる。しかも、上記遺骨２は、上記芯部３の外周部にのみ存在するにもかかわらず、上記略球状の芯部全体に存在しているかのような外観を得ることができる。また、光を被覆部４の外周全域から取り入れて遺骨２を照らすことができるため、美観的にも優れたものとなる。
【００３２】
図３から図６に、上記遺骨収容体１を製造する方法の一例を示す。また、図７に、上記製造工程のフローチャートを示す。なお、本実施の形態では、加工用の棹５の先にガラス材料を保持して上記遺骨収容体１を製造する例を示すが、この製造方法に限定されることはなく、種々の手法によって上記遺骨収容体１を製作することができ。
【００３３】
まず、図３に示すように、棹５の先端に溶融したガラスを保持して球形に成形し、芯部３を製作する（Ｓ１０１）。
【００３４】
次に、図４に示すように、上記芯部３が溶融状態あるいは半溶融状態にあるときに、表面に粉粒体状の遺骨２を付着させる（Ｓ１０２）。遺骨２は、遺体を約１０００℃から１２００℃で焼却して得られたものである。一方、上記加工途中におけるガラス材料の温度は、遺骨の焼却温度より低く、通常は１０００℃以下である。このため、遺骨２が変質したり、変色することはない。本実施の形態では、遺骨を０．０５ｍｍ〜２ｍｍ程度の粒が混じる粉粒体に加工して用いている。なお、本願の図においては、理解を容易にするため遺骨の粒度を実際より大きく、同じ粒度で表している。
【００３５】
ガラスは、成形加工途中における溶融状態あるいは半溶融状態で表面に粘性がある。この粘性を利用して、粉粒体状の遺骨２を芯部３の外面に付着させることができる。本実施の形態では、図４に示すように、上記芯部３を回転させながら、容器６から粉粒体状の遺骨２をふりかけるようにして付着させる。
【００３６】
芯部３の表面全体に上記遺骨２を付着させた後、すばやく、透明な溶融ガラス材料を上記芯部３の外周に付着させ、被覆部４を形成する（Ｓ１０３）。これにより、上記遺骨２を上記芯部３と上記被覆部４の間に閉じ込めることができる。その後、上記棹５から上記遺骨収容体１を切り離すとともに、自然冷却させる（Ｓ１０４）。
【００３７】
上記遺骨収容体１は、そのままで完成品とすることもできるし、表面の一部又は全部に表面加工等を施すこともできる（Ｓ１０５）。
【００３８】
図８及び図９に本願考案の第２の実施の形態を示す。
【００３９】
これらの図に示す遺骨収容体２１は、全体が平面視略楕円の形態を備えるとともに、偏平状に形成されたものである。図９に示すように、本実施の形態における遺骨収容体２１も、芯部２３の外周に保持された粉粒体状の遺骨２２が、上記芯部２３と上記被覆部２４の間に閉じ込められた形態を備えている。また、上記被覆部２４が透明に形成されているため、外部から遺骨２２を視認することができる。
【００４０】
上記遺骨収容体２１は、第１の実施の形態において被覆部を形成した後、全体が半溶融状態にある間に、図１に示す球体を偏平状に変形させることにより形成される。
【００４１】
図１０及び図１１に、本願考案の第３の実施の形態を示す。この実施の形態は、芯部３３に着色を施したものである。遺骨は白色であるため、遺骨収容体の外観が単調になりやすい。本実施の形態では、芯部３３に着色を施すことにより、遺骨収容体３１の外観を向上させるものである。本実施の形態では、芯部３３が着色されている一方、芯部３３の外周に保持される粉粒体状の遺骨３２の間には若干の隙間があるため、上記遺骨間に存在する隙間に色彩が施された形態となり、白色の遺骨を浮き上がらせる効果を期待できる。
【００４２】
図１２に、本願考案の第４の実施の形態を示す。この実施の形態は、被覆部４４を立方体状に加工したものである。すなわち、被覆部４４を種々の形態に成形することができる。上記成形方法は、特に限定されることはなく、カット加工等従来の種々の加法方向を採用することができる。また、表面にカットグラスのような装飾溝を施すこともできる。
【００４３】
図１３及び図１４に、本願考案の第５の実施の形態を示す。これらの図に示す遺骨収容体５１は、図１に示す第１の実施の形態に係る遺骨収容体の表面をすりガラス状に加工するとともに、上下の一部を平面状にカットし、研磨して内部を覗ける窓部５７を設けたものである。したがって、上記窓部５７から遺骨を視認できる。
【００４４】
また、光は上記被覆部５４の外周全域から入り、上記芯部５３の周囲に保持された遺骨５２を照らす一方、上記窓部５７以外からは、遺骨５２を視認することができない。このため、遺骨５２を見たくない者の目に、遺骨５２が視認されることはなくなる。したがって、遺骨に縁のない者も、遺骨収容体５１を抵抗なく取り扱うことが可能となる。
【００４５】
本願考案は、上述の実施の形態に限定されることはない。実施の形態では、ソーダガラスを採用したが、クリスタルガラス等他の種類のガラスを採用することができる。
【００４６】
また、半溶融状態にあるガラス表面に付着させることができれば、遺骨の形態も限定されることはない。また、微分末状の遺骨を採用して、遺骨としての認識を低下させ、お守り等として利用できる形態の遺骨収容体を形成することもできる。
【００４７】
また、製造方法も、上記実施の形態に限定されることはなく、種々の製造方法を採用することができる。
【図面の簡単な説明】
【００４８】
【図１】第１の実施の形態に係る遺骨収容体の全体外観図である。
【図２】図１におけるII−II線に沿う断面図である。
【図３】図１の遺骨収容体を製造する工程を示す図である。
【図４】図１の遺骨収容体を製造する工程を示す図である。
【図５】図１の遺骨収容体を製造する工程を示す図である。
【図６】図１の遺骨収容体を製造する工程を示す図である。
【図７】図３から図６に示す製造工程のフローチャートである。
【図８】第２の実施の形態に係る遺骨収容体の全体外観図である。
【図９】図８におけるIX−IX線に沿う断面図である。
【図１０】第３の実施の形態に係る遺骨収容体の全体外観図である。
【図１１】図１０におけるXI−XI線に沿う断面図である。
【図１２】第４の実施の形態に係る遺骨収容体の全体外観図である。
【図１３】第５の実施の形態に係る遺骨収容体の側面図である。
【図１４】図１３に示す遺骨収容体の平面図である。
【符号の説明】
【００４９】
１  遺骨収容体
２  遺骨
３  芯部
４  被覆部
【図１】
0003112501.tif 000003
【図２】
0003112501.tif 000004
【図３】
0003112501.tif 000005
【図４】
0003112501.tif 000006
【図５】
0003112501.tif 000007
【図６】
0003112501.tif 000008
【図７】
0003112501.tif 000009
【図８】
0003112501.tif 000010
【図９】
0003112501.tif 000011
【図１０】
0003112501.tif 000012
【図１１】
0003112501.tif 000013
【図１２】
0003112501.tif 000014
【図１３】
0003112501.tif 000015
【図１４】
0003112501.tif 000016